(57)【要約】【課題】複数種の打球音調整体をヘッド内に着脱自在に設けて打球音の調整を可能とするゴルフクラブを提供すること。【解決手段】シャフトＳをヘッドＨのホーゼル１１に連結するとともに、ヘッドＨ内に打球音調整手段１２が設けられている。打球音調整手段１２は、ホーゼル１１と、ヘッドの一部外面をヘッド内に凹ませた凹状部２３と、これらホーゼル１１、凹状部２３を連結する第１ボルト２６Ａと、ホーゼル１１及び凹状部２３を連結することなく凹状部２３に固定される第２ボルト２６Ｂを含む。ユーザーは、ボルトを選択してヘッドに装着することで打球音を変えるように設定することができる。【選択図】図１
2014014480.tif 000002
【特許請求の範囲】
【請求項１】
シャフトと、当該シャフトの先端側を連結するホーゼルを有する中空のヘッドと、このヘッド内に配置される打球音調整手段とを備えたゴルフクラブにおいて、
前記打球音調整手段は複数種の打球音調整体を含み、何れか一の打球音調整体が任意に選択されて前記ヘッド内の所定位置に着脱自在に設けられていることを特徴とするゴルフクラブ。
【請求項２】
前記打球音調整体は、前記ホーゼルとソール面との間、又は、ホーゼルとサイド面との間を連結する状態で前記ヘッド内に配置されていることを特徴とする請求項1記載のゴルフクラブ。
【請求項３】
前記ヘッドは、ソール面若しくはサイド面を部分的に凹ませた凹状部を含み、前記打球音調整体は、前記凹状部の底部を貫通して前記ホーゼル側にねじ込み可能な第１ボルトと、前記凹状部の底部にねじ込み可能な第２ボルトとにより構成されていることを特徴とする請求項１記載のゴルフクラブ。
【請求項４】
前記打球音調整手段は、前記ホーゼル、凹状部と、これらホーゼル及び凹状部に固定される打球音調整体とにより構成されていることを特徴とする請求項３記載のゴルフクラブ。
【発明の詳細な説明】
【技術分野】
【０００１】
本発明はゴルフクラブに係り、更に詳しくは、ゴルフボールを打撃したときの音をユーザーが調整できるようにしたゴルフクラブに関する。
【背景技術】
【０００２】
ゴルフクラブは、ヘッドの大きさ、構造、材質等によって種々異なる打球音を発する。このような打球音は、通常は、ゴルフボールがスイートスポットで捉えられている場合に心地良さを与えるものであり、従って、打球音は、ボールの捉え方の良否の参考ともなる。
また、一般に、ドライバー等、ウッドタイプのゴルフクラブは、購入に際して試打する場合が多くあり、その際の打球音は、購入の動機付けの一つとなっている。
そこで、打球音を考慮して設計されたゴルフクラブが提案されるに至っている（例えば、特許文献１、２参照）
【先行技術文献】
【特許文献】
【０００３】
【特許文献１】特開２００３−０９３５５６号公報
【特許文献２】特開２００６−１９２１１０号公報
【発明の開示】
【発明が解決しようとする課題】
【０００４】
特許文献１に記載されたゴルフクラブは、ソール面内に軸状の部材を配置して打球音の成分を調整可能としたものであり、また、特許文献２に記載されたゴルフクラブは、ヘッド外殻を構成する対向部分に連結部を設けて打球音を得る構成となっている。
しかしながら、これら特許文献に記載されたゴルフクラブにあっては、あらかじめ決定された打球音が得られるだけであり、ユーザーにおいて、打球音を変える自由な調整を行うようには設計されていない。
【０００５】
本発明の目的は、複数種の打球音調整体をヘッド内に着脱自在に設けて打球音の調整をユーザーにおいて行うことのできるゴルフクラブを提供することにある。
【課題を解決するための手段】
【０００６】
前記目的を達成するため、本発明は、特許請求の範囲記載の構成を採用したものであり、具体的には、シャフトと、当該シャフトの先端側を連結するホーゼルを有する中空のヘッドと、このヘッド内に配置される打球音調整手段とを備えたゴルフクラブにおいて、
前記打球音調整手段は複数種の打球音調整体を含み、何れか一の打球音調整体が任意に選択されて前記ヘッド内の所定位置に着脱自在に設けられる、という構成を採っている。
【０００７】
本発明において、前記打球音調整体は、前記ホーゼルとソール面との間、又は、ホーゼルとサイド面との間を連結する状態で前記ヘッド内に配置される、という構成を採っている。
【０００８】
また、前記ヘッドは、ソール面若しくはサイド面を部分的に凹ませた凹状部を含み、前記打球音調整体は、前記凹状部の底部を貫通して前記ホーゼル側にねじ込み可能な第１ボルトと、前記凹状部の底部にねじ込み可能な第２ボルトとにより構成することができる。この構成では、前記ホーゼル、凹状部、これらホーゼル及び凹状部に固定される第１、第２ボルトによって打球音調整手段が構成される。
【発明の効果】
【０００９】
本発明によれば、一つの打球音調整体を選択してヘッド内に装着することができ、打球音調整体を任意に付け替えることに、ヘッド構造が変化することとなる。従って、その変化に応じて個性化された打球音を発するようになる。
また、ホーゼルとソール面との間や、ホーゼルとサイド面との間を打球音調整体で連結するものであるため、ソール面、サイド面より打球音調整体を装着することができる。また、ホーゼルとソール面若しくはサイド面とを打球音調整体で連結する構成では、ヘッドの剛性を高めることも可能となる。
更に、打球音調整体がボルトにより構成されている場合には、打球音調整体の着脱作業を極めて簡易且つ迅速に行うことができ、ユーザーが調整する際の煩雑さを回避することができる。
【図面の簡単な説明】
【００１０】
【図１】本実施形態に係るゴルフクラブの要部断面図。
【図２】第１ボルトを用いたときの要部断面図。
【図３】第２ボルトを用いたときの要部断面図。
【図４】（Ａ）〜（Ｃ）は、それぞれ変形例を示す概略断面図。
【発明を実施するための形態】
【００１１】
以下、本発明が、ドライバーと称されるゴルフクラブヘッドに適用された実施形態について、図面を参照しながら説明する。
なお、本明細書において、特に明示しない限り、「先端」、「下」は、シャフトを基準として見たときに、ヘッド側について用いられ、「上」は、その反対側、すなわちグリップが取り付けられる側について用いられる。
【００１２】
本実施形態におけるゴルフクラブ１０は、図１に示されるように、シャフトＳと、このシャフトＳの先端側を受容するとともに接着剤を介してシャフトＳを連結するホーゼル１１を備えたヘッドＨと、当該ヘッドＨ内に設けられた打球音調整手段１２とを備えて構成されている。
【００１３】
前記ヘッドＨは、クラウン面１４、サイド面１５、ソール面１６及びフェース面１７を備えた中空に形成されている。ホーゼル１１は、クラウン面１４のヒール側からソール面１６に向かって形成されており、その上端部のシャフトＳ周りには、図示しないソケットが取り付けられるようになっている。このホーゼル１６は、図中上半部がシャフトＳの収容空間とされている一方、下端（先端）側に、雌ねじ２１が中央部軸線方向に形成されたねじ筒２０が連設されている。また、ホーゼル１１の軸線に沿う下方延長線上には、ソール面１６の面位置をヘッドＨ内に部分的に凹ませた凹状部２３が形成され、当該凹状部２３の底部（図１中上部）２３Ａの中央部には、雌ねじが形成されたねじ孔２４が設けられている。
【００１４】
前記打球音調整手段１２は、前記ホーゼル１１と、凹状部２３と、複数種の打球音調整体２６とからなる。打球音調整体２６は、第１ボルト２６Ａと、当該第１ボルト２６Ａよりも短寸の第２ボルト２６Ｂとを含み、何れか一のボルト２６Ａ、２６Ｂが任意に選択されてホーゼル１１及び／又は凹状部２３に着脱自在となっている。これらボルト２６Ａ、２６Ｂは頭面に図示しない十字若しくはマイナス溝が形成され、スクリュードライバー等を用いて着脱できるようになっている。また、材質は特に限定されるものではないが、本実施形態では、第１ボルト２６Ａがチタン製であり、第２ボルト２６Ｂが、マグネシウム製とされている。そして、第１ボルト２６Ａが選択されたときは、ホーゼル１１と凹状部２３とが連結される状態となり（図２参照）、第２ボルト２６Ｂが選択されたときは、ホーゼル１１と凹状部２３との連結は行われずに、凹状部２３の底部２３Ａに形成されたねじ孔２４に第２ボルト２６Ｂがねじ込み固定されることとなる（図３参照）。
【００１５】
前記第１ボルト２６Ａは、凹状部２３のねじ孔２４の内径よりも小径でねじ孔２４を通過する軸径となっており、その先端側に設けられたねじ部がねじ筒２０の雌ねじ２１にねじ込み可能となっている。この一方、第２ボルト２６Ｂは、第１ボルト２６Ａよりも軸径が大径に設けられて、ねじ孔２４にねじ込み可能とされている。
【００１６】
本実施形態において、第１ボルト２６Ａを装着したときは、図２に示されるように、ホーゼル１１と凹状部２３とが物理的に連結された状態となり、それに応じた金属音を発音させることができる。この一方、第２ボルト２６Ｂを装着した場合には、第１ボルト２６Ａを用いた場合の金属音に対し、相対的に低音となる締まった音を発音させることができた。
【００１７】
従って、本実施形態によれば、ユーザーにおいて、何れか一のボルトを用いることで、打球音を変更することができる。また、第１、第２ボルト２６Ａ、２６Ｂはそれらの形状の他、材質によって打球音を変化させるものであるから、同じ形状のボルトであっても、材質や密度が種々異なる多数のボルトを提供することで、音についての好みが多様化していても、多くのユーザーのニーズに対応するゴルフクラブを提供することが可能となる。
【００１８】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００１９】
例えば、図４（Ａ）〜（Ｃ）に示されるように構成することもできる。図４（Ａ）は、凹状部２３の形成位置を幾分トウ寄りにして第１ボルト２６Ａを図１の示される位置よりも前方にシフトさせたものであり、図４（Ｂ）は、凹状部２３をヒール寄りのサイド面に形成し、長さが異なる第３ボルト２６Ｃをホーゼル側１１にねじ込み可能としたものであり、また、図４（Ｃ）は、第４ボルト２６Ｄを図３の構成に代替したものである。
このような変形例によれば、ボルトの装着位置や、長さが異なることにより、それぞれの条件に応じた打球音を発音させることができる。
【００２０】
また、打球音調整体２６として、第１〜第４ボルト２６Ａ〜２６Ｄを示したが、ねじ構造以外の係合構造を有する軸状部材に代替してもよい。この場合、ホーゼル１１及び凹状部２３の対応部分の構造を変更すればよい。
【００２１】
更に、凹状部２３はソール面１６側や、ヒール寄りのサイド面１５に設ける場合の他、バック側のサイド面に設けることもできる。
【００２２】
また、本発明の対象クラブは、ドライバーに限定されるものではなく、フェアウェイウッドやユーティリティにも適用することができる。
【００２３】
なお、本発明は、打球音を変えることができる構成を備えたゴルフクラブを提供するものであればよく、限定的に個性化された特定の音を発音させるものである必要はない。つまり、本発明は、音質の要素となる特定の周波数に拘束されることなく様々な周波数による多種類の音を打球音として含むものであり、そのような打球音を発音させることのできる打球音調整手段が採用されていればよい。
【符号の説明】
【００２４】
Ｓ…シャフト、Ｈ…ヘッド、１０…ゴルフクラブ、１１…ホーゼル、１２…打球音調整手段、１５…サイド面、１６…ソール面、２０…ねじ筒、２３…凹状部、２３Ａ…底部、
２４…ねじ孔、２６Ａ…第１ボルト（打球音調整体）、２６Ｂ…第２ボルト（打球音調整体）、２６Ｃ…第３ボルト（打球音調整体）
【図１】
2014014480.tif 000003
【図２】
2014014480.tif 000004
【図３】
2014014480.tif 000005
【図４】
2014014480.tif 000006